(57)【要約】      （修正有）【課題】発光ダイオードの色温度及び光束を調節する回路を提供する。【解決手段】第一交流受信端１１０、第二交流受信端１２０、シリコン制御整流子１３０、電源モジュール１４０及びロードモジュール１５０を備え、電源モジュール１４０は２つの入力端及び２つの出力端を備え、２つの入力端は第一交流受信端１１０及び第二交流受信端１２０にそれぞれに接続され、シリコン制御整流子１３０は第一交流受信端１１０と電源モジュール１４０の１つの入力端との間に接続され、ロードモジュール１５０は電源モジュール１４０の２つの出力端の間に接続され、ロードモジュール１５０は互いに並列に接続された少なくとも２組のロードユニット１５１，１５２を備え、各組のロードユニットは互いに直列に接続された複数の発光ダイオードを備え、少なくとも１組のロードユニットにレジスター１５２１が直列に接続される。【選択図】図１
0003192612.tif 000002
【実用新案登録請求の範囲】
【請求項１】
第一交流受信端、第二交流受信端、シリコン制御整流子、電源モジュール及びロードモジュールを備え、前記電源モジュールは２つの入力端及び２つの出力端を備え、２つの前記入力端は前記第一交流受信端及び前記第二交流受信端にそれぞれに接続され、前記シリコン制御整流子は前記第一交流受信端と前記電源モジュールの１つの入力端との間に接続され、前記ロードモジュールは前記電源モジュールの２つの出力端の間に接続され、前記ロードモジュールは互いに並列に接続された少なくとも２組のロードユニットを備え、各組のロードユニットは互いに直列に接続された複数の発光ダイオードを備え、少なくとも１組のロードユニットにレジスターが直列に接続されることを特徴とする発光ダイオードの色温度及び光束を調節する回路。
【請求項２】
前記少なくとも２組のロードユニットは第一ロードユニット及び第二ロードユニットを備え、且つ前記第二ロードユニットにレジスターが直列に接続されることを特徴とする請求項１に記載の発光ダイオードの色温度及び光束を調節する回路。
【請求項３】
前記少なくとも２組のロードユニットはさらに第三ロードユニットを備えることを特徴とする請求項２に記載の発光ダイオードの色温度及び光束を調節する回路。
【請求項４】
前記第三ロードユニットは互いに直列に接続された複数の発光ダイオードを備えることを特徴とする請求項３に記載の発光ダイオードの色温度及び光束を調節する回路。
【請求項５】
前記第三ロードユニットにレジスターが直列に接続されることを特徴とする請求項４に記載の発光ダイオードの色温度及び光束を調節する回路。
【考案の詳細な説明】
【技術分野】
【０００１】
本考案は、発光ダイオード（Ｌｉｇｈｔ  Ｅｍｉｔｔｉｎｇ  Ｄｉｏｄｅ，ＬＥＤ）に関するものであって、特に発光ダイオードの色温度及び光束を調節することができる回路に関するものである。
【背景技術】
【０００２】
発光ダイオードは、固体冷光源であり、環境保護、無汚染、低消費電力化、高発光効率、長寿命などの特性を有するので、広く用いられており、ＬＥＤランプは発光ダイオードを光源としている。日常生活の中で様々な人々が照明に対する需要が異なって、一部の人は明るい照明が好きであり、一部の人は暗い照明が好きであり、ある時は照明の色温度が赤色を帯びたほうが必要であり、ある時は照明の色温度が暖かい又は黄色を帯びたほうが必要であり、特に商業用ＬＥＤランプは常に商品の種類、光沢、質感、立体などの異なる展示効果に基づいて照明の光束及び色温度を変えることを必要とする。しかし、従来の技術はただＬＥＤランプの光束の大きさを調節することができるだけで、色温度を同時に調節することはできない。
【考案の概要】
【考案が解決しようとする課題】
【０００３】
本考案の目的は、前記課題を解決し、発光ダイオードの色温度及び光束を同時に調節することができる回路を提供することである。
【課題を解決するための手段】
【０００４】
本考案に係る発光ダイオードの色温度及び光束を調節する回路は、第一交流受信端、第二交流受信端、シリコン制御整流子、電源モジュール及びロードモジュールを備え、電源モジュールは２つの入力端及び２つの出力端を備え、２つの入力端は第一交流受信端及び第二交流受信端にそれぞれに接続され、シリコン制御整流子は第一交流受信端と電源モジュールの１つの入力端との間に接続され、ロードモジュールは電源モジュールの２つの出力端の間に接続され、ロードモジュールは互いに並列に接続された少なくとも２組のロードユニットを備え、各組のロードユニットは互いに直列に接続された複数の発光ダイオードを備え、少なくとも１組のロードユニットにレジスターが直列に接続される。
本考案に係る発光ダイオードの色温度及び光束を調節する回路の好ましい実施例において、少なくとも２組のロードユニットは第一ロードユニット及び第二ロードユニットを備え、且つ第二ロードユニットにレジスターが直列に接続される。
本考案に係る発光ダイオードの色温度及び光束を調節する回路の好ましい実施例において、少なくとも２組のロードユニットはさらに第三ロードユニットを備える。
本考案に係る発光ダイオードの色温度及び光束を調節する回路の好ましい実施例において、第三ロードユニットは互いに直列に接続された複数の発光ダイオードを備える。
本考案に係る発光ダイオードの色温度及び光束を調節する回路の好ましい実施例において、第三ロードユニットにレジスターが直列に接続される。
【考案の効果】
【０００５】
本考案に係る発光ダイオードの色温度及び光束を調節する回路は、シリコン制御整流子を調節して電源モジュールが受信した交流電源電圧の位相角を変えることにより電源モジュールの出力電圧を変える。第一ロードユニットと互いに並列に接続された第二ロードユニットにレジスターが直列に接続されており、レジスターの限流作用によって第一ロードユニットと第二ロードユニットとの間には電流差が存在するので、ロードモジュールの整体色温度を変えるとともに、ロードモジュールの両端の電圧が変えるので、ロードモジュールの発光ダイオードの光束も変える。だから従来の技術に比べて本考案に係わる発光ダイオードの色温度及び光束を調節する回路は発光ダイオードの光束の大きさを調節することができるばかりでなく、発光ダイオードの色温度の大きさも調節することができる。
【図面の簡単な説明】
【０００６】
【図１】本考案の第一実施形態に係る発光ダイオードの色温度及び光束を調節する回路の回路図である。
【図２】本考案の第二実施形態に係る発光ダイオードの色温度及び光束を調節する回路の回路図である。
【考案を実施するための形態】
【０００７】
以下、図面を参照して、本考案の実施形態について説明する。
【０００８】
図１は、本考案の第一実施形態に係わる発光ダイオードの色温度及び光束を調節する回路の回路図である。発光ダイオードの色温度及び光束を調節する回路１００は、第一交流受信端１１０と、第二交流受信端１２０と、シリコン制御整流子（Ｓｉｌｉｃｏｎ  Ｃｏｎｔｒｏｌｌｅｄ  Ｒｅｃｔｉｆｉｅｒ，ＳＣＲ）１３０と、電源モジュール１４０と、ロードモジュール１５０と、を備える。
【０００９】
第一交流受信端１１０及び第二交流受信端１２０は交流電源電圧、例えば２２０Ｖの交流電圧を受信するために用いられる。電源モジュール１４０は２つの入力端及び２つの出力端を備え、２つの入力端は第一交流受信端１１０及び第二交流受信端１２０にそれぞれに接続される。電源モジュール１４０はさらに整流濾過回路（図示せず）を備えることができ、従って電源モジュール１４０が第一交流受信端１１０及び第二交流受信端１２０から受信した交流電源電圧に対して整流及び濾過処理を行って安定的な直流電圧を得る。
【００１０】
シリコン制御整流子１３０は、第一交流受信端１１０と電源モジュール１４０の１つの入力端との間に接続されて、電源モジュール１４０が第一交流受信端１１０から受信した交流電源電圧の位相角を調節することにより、電源モジュール１４０の２つの出力端の電圧を変化させる。ロードモジュール１５０は、電源モジュール１４０の２つの出力端の間に接続される。電源モジュール１４０は、第一交流受信端１１０及び第二交流受信端１２０から受信した交流電源電圧に対して整流濾過処理を行って得た直流電圧をロードモジュール１５０に出力する。具体的な実施例において、ロードモジュール１５０は、お互いに並列に接続された少なくとも２組のロードユニットを備えることができ、例えば、図１に示された実施例において、ロードモジュール１５０は互いに並列に接続された第一ロードユニット１５１及び第二ロードユニット１５２を備える。第一ロードユニット１５１及び第二ロードユニット１５２は全て互いに直列に接続された複数の発光ダイオードを備え、且つ第二ロードユニット１５２にレジスター１５２１が直列に接続される。第一ロードユニット１５１の発光ダイオードの色温度と第二ロードユニット１５２の発光ダイオードの色温度は異なり、例えば、第一ロードユニット１５１の発光ダイオードの色温度は４０００Ｋであることができ、第二ロードユニット１５２の発光ダイオードの色温度は２０００Ｋであることができる。
【００１１】
発光ダイオードの色温度及び光束を調節する回路１００が発光ダイオードの色温度及び光束を調節する基本原理は、シリコン制御整流子１３０を調節して電源モジュール１４０が受信した交流電源電圧の位相角を変えることにより電源モジュール１４０の出力電圧を変えて、さらにロードモジュール１５０の第一ロードユニット１５１及び第二ロードユニット１５２の電流を変えて、整体色温度を変える。シリコン制御整流子１３０を最大に調節した場合、第一ロードユニット１５１及び第二ロードユニット１５２の両端の電圧及び電流は全て同じであり、第一ロードユニット１５１の発光ダイオードの色温度は４０００Ｋであり、第二ロードユニット１５２の発光ダイオードの色温度は２０００Ｋであるので、整体色温度は３０００Ｋほどである。シリコン制御整流子１３０をダウンに調節した場合、第一ロードユニット１５１及び第二ロードユニット１５２の両端の電圧及び電流は全て下げ、ロードモジュール１５０の第一ロードユニット１５１及び第二ロードユニット１５２は並列に接続されるので、二者の両端の電圧はいつも同じであり、二者の電圧降下の幅も同じであるが、二者の電流降下の幅は異なり、第二ロードユニット１５２にレジスター１５２１が直列に接続され、レジスター１５２１は限流作用を有するので、第一ロードユニット１５１の電流は速く下げても、第二ロードユニット１５２の電流は遅く下げ、この時第二ロードユニット１５２の電流は第一ロードユニット１５１の電流より大きく、整体色温度は電流の降下に従って降下し、且つ電流が大きいロードの色温度に傾向し、即ち第二ロードユニット１５２の発光ダイオードの色温度に傾向する。シリコン制御整流子１３０をさらにダウンに調節した場合、第一ロードユニット１５１と第二ロードユニット１５２との間の電流差はさらに大きくなり、整体色温度はさらに降下して、第二ロードユニット１５２の発光ダイオードの色温度に傾向する。シリコン制御整流子１３０をダウンに調節しているところ、ロードモジュール１５０の両端の電圧は変化し、発光ダイオードの光束と電圧の大きさは正比例になるので、ロードモジュール１５０の発光ダイオードの光束を調節することもできる。
【００１２】
本考案に係わる発光ダイオードの色温度及び光束を調節する回路１００は、シリコン制御整流子１３０を調節して電源モジュール１４０が受信した交流電源電圧の位相角を変えることにより電源モジュール１４０の出力電圧を変える。第一ロードユニット１５１と互いに並列に接続された第二ロードユニット１５２にレジスター１５２１が直列に接続されており、レジスター１５２１の限流作用によって第一ロードユニット１５１と第二ロードユニット１５２との間には電流差が存在するので、ロードモジュール１５０の整体色温度を変えるとともに、ロードモジュール１５０の両端の電圧が変えるので、ロードモジュール１５０の発光ダイオードの光束も変える。だから従来の技術に比べて本考案に係わる発光ダイオードの色温度及び光束を調節する回路１００は発光ダイオードの光束の大きさを調節することができるばかりでなく、発光ダイオードの色温度の大きさも調節することができる。
図２は、本考案の第二実施形態に係わる発光ダイオードの色温度及び光束を調節する回路の回路図である。発光ダイオードの色温度及び光束を調節する回路２００は、図１に示された発光ダイオードの色温度及び光束を調節する回路１００と類似し、主に異なったのは、発光ダイオードの色温度及び光束を調節する回路２００のロードモジュール２５０は、互いに並列に接続された第一ロードユニット２５１、第二ロードユニット２５２及び第三ロードユニット２５３を備える。第一ロードユニット２５１、第二ロードユニット２５２及び第三ロードユニット２５３は、全て互いに直列に接続された複数の発光ダイオードを備え、且つ第二ロードユニット２５２にレジスター２５２１が直列に接続される。第三ロードユニット２５３にもレジスター（図示せず）が直列に接続されることができ、且つ第三ロードユニット２５３のレジスターの抵抗値と第二ロードユニット２５２のレジスター２５２１の抵抗値は異なる。本実施例の発光ダイオードの色温度及び光束を調節する回路２００のロードモジュール２５０は並列に接続された複数組のロードユニットを備えるので、その中の一組のロードユニットが壊したとしても、他の組の正常的な使用を影響しない。
【００１３】
以上本考案を実施例に基づいて具体的に説明したが、本考案は、上述の実施例に限定されるものではなく、その要旨を逸脱しない範囲において、種種変更可能であることは勿論であって、本考案の保護範囲は、以下の特許請求の範囲から決まる。
【符号の説明】
【００１４】
１００，２００  発光ダイオードの色温度及び光束を調節する回路
１１０，２１０  第一交流受信端
１２０，２２０  第二交流受信端
１３０，２３０  シリコン制御整流子
１４０，２４０  電源モジュール
１５０，２５０  ロードモジュール
１５１，２５１  第一ロードユニット
１５２，２５２  第二ロードユニット
２５３  第三ロードユニット
１５２１，２５２１  レジスター
【図１】
0003192612.tif 000003
【図２】
0003192612.tif 000004